(57)【要約】【課題】  ファンデーション等の化粧料を顧客等に試供品として提供するための化粧料容器において、化粧用具への化粧料の取り出しが容易であるとともに、より携帯し易い化粧料容器の提供にある。【解決手段】  化粧料９を収容可能な収容凹部１４が形成された台紙３と、この台紙３に貼着されて化粧料９が収容された収容凹部１４の開口部１８を閉塞するとともに、化粧料９の使用時に台紙３から剥離されるカバーフィルム５とを有して構成される化粧料容器１において、台紙３に収容凹部１４を複数設け、これら複数の収容凹部１４をこれらの全体を覆うように一枚のカバーフィルム５で被覆してなる。【選択図】    図１
2006280504.tif 000002
【特許請求の範囲】
【請求項１】
化粧料を収容可能な収容凹部が形成された台紙と、
該台紙に貼着されて化粧料が収容された前記収容凹部の開口部を閉塞するとともに、前記化粧料の使用時に前記台紙から剥離されるフィルム状蓋部とを有して構成される化粧料容器において、
前記台紙に前記収容凹部を複数設け、これら複数の収容凹部をこれらの全体を覆うように一枚の前記フィルム状蓋部で被覆してなることを特徴とする化粧料容器。
【請求項２】
前記複数の収容凹部が放射状に均等配置されていることを特徴とする請求項１記載の化粧料容器。
【請求項３】
前記複数の収容凹部が前記台紙の長手方向一側に偏って配置されていることを特徴とする請求項１または請求項２記載の化粧料容器。
【請求項４】
前記収容凹部は、その直径が３ｍｍ〜１０ｍｍの範囲内であることを特徴とする請求項１から請求項３のいずれか一項に記載の化粧料容器。
【発明の詳細な説明】
【技術分野】
【０００１】
本発明は、化粧料を収容する容器に関するものであり、化粧料を試供品として顧客等に提供するためのより好適な化粧料容器に関する。
【背景技術】
【０００２】
従来より、ファンデーション等の化粧料を試供品として顧客に提供するための化粧料容器として、プラスチック製の小さな容器（ジャータイプ）に化粧料を充填したものが知られている。しかし、単なる容器であると化粧料をパフ等の化粧用具に付着させて取り出すときに、必要以上の化粧料を付着させてしまったり、化粧料が化粧用具に局所的に付着してしまったり等、扱い難いものとなっている。
一方、粉末化粧料を収納する容器本体と、容器本体に収納された粉末化粧料の上面に配置され、平面部に多数の通過穴を設け、外周鍔部の内周側に嵌合用溝部を設けた通過プレートと、中央部に多数の通過穴を設け外周部の一部に取手部を備え、通過プレートの嵌合用溝部に外周部を回動可能に嵌合した蓋シートと、この蓋シート上に配置される粉末化粧料を付着させるパフとを有し、取手部を操作して蓋シートを通過プレートに沿って回動させることにより、蓋シートと通過プレートとの各通過穴を合致又は不合致状態とし、粉末化粧料のパフに対する付着又は容器本体内での施封を可能としたものが提供されている。（特許文献１参照）これにより、パフ等の化粧用具に化粧料を適量、満遍なく付着させることが可能となる。
【特許文献１】登録実用新案第３０５１３３５号公報
【発明の開示】
【発明が解決しようとする課題】
【０００３】
しかし、上記プラスチック製の容器は、嵩張るためハンドバック等での携帯には不便であり、ＤＭ（ダイレクトメール）による宣伝にも郵送費を含め流通コスト等の面で不利になっている。また、このような容器は、成型加工によって製造されるため製造コストも掛かってしまうという問題がある。そのため、試供品を多くの顧客に配布するという本来の目的を達成することが難しくなってしまう。
【０００４】
そこで、本発明は上記事情に鑑みてなされたもので、その目的とするところは、ファンデーション等の化粧料を顧客等に試供品として提供するための化粧料容器において、化粧用具に化粧料を適量、満遍なく付着させることができるとともに、より携帯し易い化粧料容器の提供にある。
【課題を解決するための手段】
【０００５】
そこで、本発明において上記目的を達成するために、まず請求項１に係る発明は、化粧料を収容可能な収容凹部が形成された台紙と、この台紙に貼着されて化粧料が収容された収容凹部の開口部を閉塞するとともに、化粧料の使用時に台紙から剥離されるフィルム状蓋部とを有して構成される化粧料容器において、台紙に収容凹部を複数設け、これら複数の収容凹部をこれらの全体を覆うように一枚のフィルム状蓋部で被覆してなることを特徴とする。
【０００６】
請求項２に係る発明は、請求項１に係る発明において、複数の収容凹部が放射状に均等配置されていることを特徴とする。
【０００７】
請求項３に係る発明は、請求項１または請求項２に係る発明において、複数の収容凹部が台紙の長手方向一側に偏って配置されていることを特徴とする。
【０００８】
請求項４に係る発明は、請求項１から請求項３のいずれか一項に係る発明において、収容凹部は、その直径が３ｍｍ〜１０ｍｍの範囲内であることを特徴とする。
【発明の効果】
【０００９】
請求項１に係る発明によれば、化粧料を複数の収容凹部内に分けて収容させているので、パフ等の化粧用具に適量の化粧料を満遍なく付着させることができる。さらに、複数の収容凹部が一枚のフィルム状蓋部で被覆されているので、このフィルム状蓋部を台紙から剥離することにより、被覆されていた全ての収容凹部内の化粧料が同時に使用可能となる。加えて、フィルム状蓋部の剥離量を調整することで開放状態になる収容凹部の数を調整でき、パフ等に取り出す際に所望の量を取り出すことができる。
また、全体的に薄肉板状の容器として形成されるので、嵩張ることなくより携帯し易いものとすることができる。
【００１０】
請求項２に係る発明によれば、複数の収容凹部が放射状に均等に配置されているので、化粧料を化粧用具に付着させる際、化粧用具に化粧料をより均等に付着させることができる。
【００１１】
請求項３に係る発明によれば、複数の収容凹部が台紙の長手方向一側に偏って配置されているので、化粧料の広告及び内容成分等の情報を記載するのにまとまったスペースを確保することができる。
【００１２】
請求項４に係る発明によれば、収容凹部の直径が３ｍｍ〜１０ｍｍの範囲内で形成されているので、フィルム状蓋部の開封時に収容凹部内の化粧料が飛散及び漏出し難くなり、化粧料の商品価値を低下させることなく、試用してもらうことが可能となる。また、このような収容凹部の直径は、製造時に収容凹部内へ化粧料を充填する際、化粧料の充填作業に支障のない大きさであり、且つ、充填作業中に収容凹部の周囲に化粧料が飛散する等などといった充填不良が発生し難くなる。
【発明を実施するための最良の形態】
【００１３】
以下、本発明の一実施形態について、図面を用いて説明する。
本実施形態の化粧料容器１は、図１及び図２に示すように、合成紙からなる台紙３と、その一方の片面に貼着される合成樹脂製のカバーフィルム（フィルム状蓋部）５と、台紙３の他方の片面に貼着される合成樹脂製の下部シート７とを有している。
【００１４】
上記台紙３は、所定の厚さを有して略長方形状のカード型に形成されている。
台紙３は、ＰＰ系合成紙或いは合紙等からなっており、寸法安定性を保つため適当な厚みを付与して形成されている。この台紙３の表面には収容される化粧料９の商品名や広告等の印刷が施されることになる。その印刷方法を選ぶことにより、さまざまな印刷表現が可能となっている。なお、台紙の厚みは例えば０．３ｍｍ〜３．０ｍｍ程度である。
【００１５】
この台紙３の長手方向一側に、厚さ方向に貫通する所定形状の打抜孔１１が複数ここでは７つ形成されており、その数及び孔径が後に収容される化粧料９の充填量に応じて決定される。特に孔径は、３ｍｍ〜１０ｍｍの範囲内とされている。
【００１６】
これら打抜孔１１は、台紙３の長手方向一側における幅方向中央部に集合させた状態で配置されており、台紙３上での各々の配置は、７つの打抜孔１１のうち１つの打抜孔１１が中心となり、残りの打抜孔１１がその回りを囲むようにして配置されている。詳しくは、図１に示すように、１つの打抜孔１１を中心としてその他６つの打抜孔１１が放射状に広がりを成すようにして互いに所定距離を保ちながら均等に配置されている。つまり、中心の打抜孔１１とその周囲の打抜孔１１との距離は等しく且つ隣り合う打抜孔１１同士の距離も等しい。
なお、打抜孔１１の形状は、図１に示すように、円形状が好適であるが、楕円形状、矩形状等でもよく、さらにそれ以外の形状であっても構わない。
【００１７】
下部シート７は、図２に示すように、台紙３の一方の片面に貼着されるものであり、その厚さは台紙３の厚さよりも薄く形成されている。このような下部シート７としては、ポリエチレンテレフタレート、ポリプロピレン、ポリ塩化ビニルなどからなるシートが用いられ、機械的強度、耐熱性、耐薬品性、成形加工性などに優れているだけでなく安価で大量生産が可能な材料が用いられる。
【００１８】
この下部シート７は円形状を呈しており、各打抜孔１１の一側を閉塞すべく、これら全ての打抜孔１１を覆うようにして貼着される。下部シート７を台紙３に貼着する際に用いられる接着剤１６には、感熱接着剤又は感圧接着剤等が用いられ、下部シート７と合わせると１１０μｍ〜２００μｍ程度の厚さになる。
【００１９】
なお、下部シート７の色は何色でもよく、その表面に印刷にて着色することも可能であるが、透明にすれば上記台紙３の表面に施された化粧料９の広告等の印刷を一見することができるとともに、収容凹部１４内の化粧料９の色及びその性状等を外部から視認することができる。また下部シート７は、図３及び図４に示すように、台紙３の片面に全面的に貼着してもよい。
【００２０】
このように、各打抜孔１１の一側を下部シート７で閉塞することによって、各打抜孔１１とともに化粧料９を収容するための収容凹部１４がそれぞれ構成されることになる。そして各収容凹部１４内には、色、種類が統一された粉末状の化粧料９が収容される。
【００２１】
カバーフィルム５は、台紙３の他方の片面に貼着されるものであり、その厚さは台紙３の厚さよりも薄く形成されている。また、上記下部シート７と同様、ポリプロピレン、ポリエチレンテレフタレート、ポリ塩化ビニルなどの樹脂製シートが用いられる。
【００２２】
このカバーフィルム５は、図１に示すように、円形状を成しており、打抜孔１１の他側において全ての収容凹部１４の開口部１８を閉塞するとともに、これら収容凹部１４を一枚で被覆するようにして台紙３の下部シート７とは反対側の片面に貼着されている。このカバーフィルム５には、一端に径方向外側に突出する舌状のつまみ片２０が設けられており、顧客は、このつまみ片２０を摘んで引き上げることにより、カバーフィルム５を台紙３から容易に剥離できるようになっている。なお、上記下部シート７同様、カバーフィルム５も透明にすれば、台紙３の両側から各収容凹部１４の中味を確認することができる。
【００２３】
図２に示すように、上記のようなカバーフィルム５を台紙３に貼着する際に用いられる接着剤２２には、感熱接着剤，感圧粘着接着材等が用いられるが、カバーフィルム５の台紙３へ接着する部分となる接着部２７には、さらにイージーピール材３１が設けられており、このイージーピール材３１を介して台紙３へと貼着させることにより、化粧料９を保護するために強固に接着可能でありながら、使用時には容易に剥離できるようになっている。また、被着体となる台紙３やこのカバーフィルム５の材質及び要求される剥離強度により、そのイージーピール材３１を選定することができる。ただし、上述したつまみ片２０の部分だけは、台紙３に貼着せずに設けられている。このようなカバーフィルム５を剥離すると、閉塞されていた全ての収容凹部１４が開封され、各収容凹部１４内の化粧料９を同時に使用可能となる。顧客は、全ての収容凹部１４を一度に覆うことができる大きさの例えばパフなどの化粧用具を用いて、内部の化粧料９を適量付着させて使用する。
なお、カバーフィルム５の一端を下部シート７に固定しておくことも可能であり、利用する顧客等が適宜開閉できるように設けられると利便性が良い。
【００２４】
さらに、カバーフィルム５は、図３及び図４に示すように、台紙３の片面に全体的に貼着させてもよい。この場合、集合している収容凹部１４周辺のカバーフィルム５に切り込みを施し、台紙３に形成された全ての収容凹部１４を囲むようにして、蓋部（フィルム状蓋部）２６を形成する。この蓋部２６にも、これを開封するための舌状のつまみ片２０を形成し、且つこのつまみ片２０の対向側には、カバーフィルム５の蓋部２６以外の貼着部２８に繋がる脱落防止用の帯状片２９が形成される。なお、帯状片２９の端部にはミシン目３０を施しておく。
【００２５】
このように、カバーフィルム５に蓋部２６を形成することによって、顧客等の使用時において、蓋部２６を剥離しても蓋部２６は貼着部２８に繋がっているため、これを廃棄する煩わしさがなくなる。また、ミシン目で折ると蓋部２６の戻りがなくなり、より使用し易い化粧料容器２となる。また、蓋部２６を紛失することなく再び凹部の開口部１８を閉塞することが可能となるので、使い切るまで化粧料９を保存することが可能となる。
【００２６】
以上のように構成される化粧料容器１，２は、平坦で嵩張らない化粧料９の試供品として顧客に提供される。
【００２７】
以上に述べた本実施形態によれば、化粧料９を複数の収容凹部１４内に分けて収容させているので、パフ等の化粧用具に適量の化粧料９を満遍なく付着させることができる。さらに、複数の収容凹部１４が一枚のカバーフィルム５またはカバーフィルム５の蓋部２６で被覆されているので、このカバーフィルム５またはカバーフィルム５の蓋部２６を台紙３から剥離することにより、被覆されていた全ての収容凹部１４内の化粧料９が同時に使用可能となる。加えて、カバーフィルム５の剥離量を調整することで開放状態になる収容凹部１４の数を調整でき、パフ等に取り出す際に所望の量を取り出すことができる。
また、全体的に薄肉板状の容器として形成されるので、嵩張ることなくより携帯し易いものとすることができる。
【００２８】
また、複数の収容凹部１４が放射状に均等に配置されているので、化粧料９を化粧用具へ取り出す際、化粧用具に化粧料９が均等に分散するとともに、各収容凹部１４から適量の化粧料９を取り出しやすいため、使い勝手がよい。
【００２９】
さらに、複数の収容凹部１４が台紙の長手方向一側に偏って配置されているので、化粧料９の広告及び内容成分等の情報を記載するのにまとまったスペースを確保することができる。
【００３０】
その上、収容凹部１４の直径が３ｍｍ〜１０ｍｍの範囲内で形成されているので、カバーフィルム５またはカバーフィルム５の蓋部２６の開封時に収容凹部１４内の化粧料９が飛散及び漏出し難くなり、化粧料９の商品価値を低下させることなく、試用してもらうことが可能となる。また、このような収容凹部１４の直径は、製造時に収容凹部１４内へ化粧料９を充填する際、化粧料９の充填作業に支障のない大きさであり、且つ、充填作業中に収容凹部１４の周囲に化粧料９が飛散する等などといった充填不良が発生し難くなる。
【実施例】
【００３１】
次に本発明を実施例により、さらに具体的に説明する。
まず、ＰＰ系合成紙である台紙３としては、化粧料９に含まれる油分の吸収を防ぐため、ユポ（株式会社ユポ・コーポレーション社製）を用い、その厚さは９５０μｍである。或いは厚さ１０００μｍのポリプロピレンを使用してもよい。そして、台紙３に上記打抜孔１１を７つ形成する。これら打抜孔１１は、直径６ｍｍで形成され、図１に示すように、中心の打抜孔１１の周囲を取り巻く他の６つの打抜孔１１の中心点をそれぞれ繋ぐ図中の一点差線で示す円の直径が２０ｍｍとなっている。
【００３２】
このように構成された台紙３の片面に、厚さ２５μｍのフィルム状蓋部（ＰＥＴ）５を貼着して打抜孔１１の一側を閉塞させることによって、化粧料９を収容可能な収容凹部１４がそれぞれ形成され、各収容凹部１４内にホッパーを用いて化粧料９を充填させる。このとき、カバーフィルム５は、その片面に接着剤２２として感熱接着剤を塗布して乾燥させ、イージーピール材３１として厚さ５０μｍのシーラントフィルム（ＣＭＰＳ）を重ねて加熱した状態で圧着させることによって被着体となる台紙３へと貼着している。
【００３３】
その後、各収容凹部１４内に収容された化粧料９を密封すべく、台紙３の片面であってカバーフィルム５の貼着されていない片面に、各収容凹部１４の開口部１８を一度に被覆可能な厚さ１１０μｍの下部シート（株式会社ユポ・コーポレーション社製  ユポＦＰ）７を接着剤１６として用いる感熱接着剤を介して貼着し、全ての収容凹部１４を被覆した。この場合、下部シート７の厚さは、接着剤１６を含め、１１０μｍ〜２００μｍの範囲内であることが好ましい。
また、下部シート７としては、富士フィルム・ビジネスサプライ株式会社のタックフィルム或いは、ヒートシールフィルムを用いてもよい。
【００３４】
なお、上記実施例に限らず、打抜孔１１が形成された台紙３の片面にまず下部シート７を貼着させて収容凹部１４を形成し、その収容凹部１４内に化粧料９を充填させた上で、全ての収容凹部１４を覆うようにカバーフィルム５を貼着させて収容凹部１４の開口部１８を閉塞させてもよい。
【図面の簡単な説明】
【００３５】
【図１】本発明における一実施形態の全体を示す斜視図である。
【図２】本発明における一実施形態の図１に示すＡ−Ａ線に沿う断面図である。
【図３】本発明における一実施形態の変形例を示す斜視図である。
【図４】本発明における一実施形態の図３に示すＢ−Ｂ線に沿う断面図である。
【符号の説明】
【００３６】
１  化粧料容器
３  台紙
５  フィルム状蓋部
９  化粧料
１４  収容凹部
１８  開口部
【図１】
2006280504.tif 000003
【図２】
2006280504.tif 000004
【図３】
2006280504.tif 000005
【図４】
2006280504.tif 000006